(57)【要約】【課題】  遊技機の説明書や飲料容器を保持できる分煙ボードの取り付け構造を提供する。【解決手段】  遊技場の島１の遊技機２間に設けられる分煙ボード４の側面に遊技機２の説明書Ｍを挟むホルダー４３と飲料容器Ｄを載せる折り畳み可能な容器受け４４を取り付ける。ホルダー４３は、その下端部を分煙ボード４の側面に固着し、上端部と側端部は開放し、中間部は分煙ボード４側へ湾曲させて説明書Ｍを保持できるように湾曲させる。容器受け４４は、飲料容器Ｄの周囲を保持する環状の保持部４４ａと、飲料容器Ｄの底面を受ける受け部４４ｂとで構成し、その保持部４４ａと受け部４４ｂの一端を分煙ボード４の側面に枢支して分煙ボード４側へ折り畳み可能にする。【選択図】  図１
0003193994.tif 000002
【実用新案登録請求の範囲】
【請求項１】
分煙ボードの側面に遊技機の説明書又は薄物のファイルを挟むホルダー又は飲料容器を載せる折り畳み可能な容器受けを取り付け、同分煙ボードを遊技場の島の遊技機間に固定した、遊技設備の分煙ボードの取り付け構造。
【請求項２】
分煙ボードの側面に遊技機の説明書又は薄物のファイルを挟むホルダー又は飲料容器を載せる折り畳み可能な容器受けを取り付け、同分煙ボードの後端に縦フレームを取り付け、同縦フレームを挿入して分煙ボードを取り外し可能に装着する浅い受けボックスを島の遊技機間に固定し、同受けボックスに装着した分煙ボードを取り外し不能に施錠する施錠手段を設けた、遊技設備の分煙ボードの取り付け構造。
【請求項３】
縦フレームの下端を載せるスライド台を受けボックス内の下部に設けた、請求項２記載の遊技設備の分煙ボードの取り付け構造。
【請求項４】
分煙ボードの側面に遊技機の説明書又は薄物のファイルを挟むホルダー又は飲料容器を載せる折り畳み可能な容器受けを取り付け、同分煙ボードの後端に縦フレームを取り付け、同縦フレームを含む分煙ボード全体を収納する奥行きの長い受けボックスを島の遊技機間に固定し、同受けボックスに装着した分煙ボードを取り外し不能に施錠する施錠手段を設けた、遊技設備の分煙ボードの取り付け構造。
【請求項５】
縦フレームの下端をスライド可能に支持するガイドレールを受けボックス内の下部に設けた、請求項４記載の遊技設備の分煙ボードの取り付け構造。
【請求項６】
ホルダーの構造が、板状で、その下端部を分煙ボードの側面に固着し、上端部と側端部は開放し、中間部は分煙ボード側へ湾曲させて説明書又はファイルを保持できるようにした構造である、請求項１〜５いずれか記載の遊技設備の分煙ボードの取り付け構造。
【請求項７】
容器受けの構造が、飲料容器の外周を保持する環状の保持部と、飲料容器の底面を受ける受け部とで構成し、その保持部と受け部の一端を分煙ボードの側面に枢支して分煙ボード側へ折り畳み可能にした構造である、請求項１〜６いずれか記載の遊技設備の分煙ボードの取り付け構造。
【考案の詳細な説明】
【技術分野】
【０００１】
本考案は、遊技場の島に設けられる分煙ボードの取り付け構造に関する。
【背景技術】
【０００２】
従来、複数の遊技機が列設された遊技場の島において、例えば遊技者が初心者で遊技の方法が詳しく分からない場合などは、通り掛かりの店員や隣の遊技者に尋ねたりすることがあり、気軽に遊技できないことがあった。
【０００３】
また、ジュースやお茶等を飲みながら遊技する際、その飲料容器は通常遊技機の手前に有するテーブルに置いておくことが多いが、遊技中に誤って飲料容器を倒したり落としたりして中身をこぼしてしまい、テーブルや床面や所持品を汚してしまうことがあった。
【０００４】
一方、島の遊技機間の境界位置にタバコの煙が隣側へ流れないようにする分煙ボードを取り付けたものが知られている（例えば特許文献１参照）。本考案は、この分煙ボードに前記遊技機の説明書や飲料容器を保持できる機能を付与しようとして成されたものである。
【先行技術文献】
【特許文献】
【０００５】
【特許文献１】特開２０１３−１７６５５４号公報
【考案の概要】
【考案が解決しようとする課題】
【０００６】
本考案が解決しようとする課題は、従来のこれらの問題点を解消し、遊技機の説明書や飲料容器を保持できる分煙ボードの取り付け構造を提供することにある。
【課題を解決するための手段】
【０００７】
かかる課題を解決した本考案の構成は、
１）  分煙ボードの側面に遊技機の説明書又は薄物のファイルを挟むホルダー又は飲料容器を載せる折り畳み可能な容器受けを取り付け、同分煙ボードを遊技場の島の遊技機間に固定した、遊技設備の分煙ボードの取り付け構造
２）  分煙ボードの側面に遊技機の説明書又は薄物のファイルを挟むホルダー又は飲料容器を載せる折り畳み可能な容器受けを取り付け、同分煙ボードの後端に縦フレームを取り付け、同縦フレームを挿入して分煙ボードを取り外し可能に装着する浅い受けボックスを島の遊技機間に固定し、同受けボックスに装着した分煙ボードを取り外し不能に施錠する施錠手段を設けた、遊技設備の分煙ボードの取り付け構造
３）  縦フレームの下端を載せるスライド台を受けボックス内の下部に設けた、前記２）記載の遊技設備の分煙ボードの取り付け構造
４）  分煙ボードの側面に遊技機の説明書又は薄物のファイルを挟むホルダー又は飲料容器を載せる折り畳み可能な容器受けを取り付け、同分煙ボードの後端に縦フレームを取り付け、同縦フレームを含む分煙ボード全体を収納する奥行きの長い受けボックスを島の遊技機間に固定し、同受けボックスに装着した分煙ボードを取り外し不能に施錠する施錠手段を設けた、遊技設備の分煙ボードの取り付け構造
５）  縦フレームの下端をスライド可能に支持するガイドレールを受けボックス内の下部に設けた、前記４）記載の遊技設備の分煙ボードの取り付け構造
６）  ホルダーの構造が、板状で、その下端部を分煙ボードの側面に固着し、上端部と側端部は開放し、中間部は分煙ボード側へ湾曲させて説明書又はファイルを保持できるようにした構造である、前記１）〜５）いずれか記載の遊技設備の分煙ボードの取り付け構造
７）  容器受けの構造が、飲料容器の外周を保持する環状の保持部と、飲料容器の底面を受ける受け部とで構成し、その保持部と受け部の一端を分煙ボードの側面に枢支して分煙ボード側へ折り畳み可能にした構造である、前記１）〜６）いずれか記載の遊技設備の分煙ボードの取り付け構造
にある。
【考案の効果】
【０００８】
本考案の前記１）記載の構成によれば、遊技の方法が分からない場合などは、分煙ボードに有するホルダーから説明書を手に取って見ながら遊技することができ、通り掛かりの店員や隣の遊技者に尋ねたりする必要がない。また、飲料を飲みながら遊技する場合は、分煙ボードから容器受けを展開して飲料容器を保持させることで、従来のようにテーブル上の飲料容器を誤って倒したり落としたりして中身をこぼす心配がない。
【０００９】
本考案の前記２）記載の構成によれば、前記１）記載の効果に加え、遊技機の整備や新台への入れ替え時に、分煙ボードを受けボックスから取り外すことで、分煙ボードが邪魔にならないように且つ遊技機を傷つけないようにして作業できる。また、施錠手段によって分煙ボードの遊技者による無断引き抜きを防止できる。
【００１０】
本考案の前記３）記載の構成によれば、分煙ボードをスライド台に載せて押すことで、受けボックスへの装着が容易に且つ正確に行える。
【００１１】
本考案の前記４）記載の構成によれば、前記１）記載の効果に加え、遊技機の整備や新台への入れ替え時に、分煙ボードを受けボックスに収納することで、分煙ボードが邪魔にならないように且つ遊技機を傷つけないようにして作業できる。また、施錠手段によって分煙ボードの遊技者による無断引き抜きを防止できる。
【００１２】
本考案の前記５）記載の構成によれば、分煙ボードをガイドレールに載せてスライドさせることで、分煙ボードの収納及び引き出しが円滑に行える。
【００１３】
本考案の前記６）記載の構成によれば、簡易な構造で説明書又はファイルを脱落しないように確実に保持でき、差し込み及び取り出しもホルダーの上端部と側端部いずれからでも容易に行える。
【００１４】
本考案の前記７）記載の構成によれば、簡易な構造で飲料容器を倒れないように確実に保持でき、使用しない場合は邪魔にならないように簡単に折り畳むことができる。
【図面の簡単な説明】
【００１５】
【図１】実施例の分煙ボードの取り付け状態を示す斜視図である。
【図２】実施例の分煙ボードと受けボックスの斜視図である。
【図３】実施例の容器受けの説明図である。
【図４】実施例のスライド台による分煙ボードの取り付けを示す斜視図である。
【図５】実施例の分煙ボードの固定を示す説明図である。
【図６】実施例の他の例の分煙ボードと受けボックスの斜視図である。
【図７】実施例の他の例のガイドレールの動きを示す説明図である。
【図８】実施例の他の例の分煙ボードの収納を示す斜視図である。
【図９】実施例の他の例の分煙ボードの取り付け状態を示す斜視図である。
【考案を実施するための形態】
【００１６】
以下、本考案を実施するための形態を実施例と図面に基づいて具体的に説明する。なお、本考案は以下の実施例に限定されるものではなく、様々な組み合わせや変形が可能である。
【実施例】
【００１７】
図１〜５に本実施例の分煙ボードを示す。図中、１は島、１ａはテーブル、２は遊技機、３は受けボックス、４は分煙ボードである。
【００１８】
受けボックス３は、分煙ボード４を脱着可能に装着させる収納部３１と、分煙ボード４の施錠手段３２と、分煙ボード４を載せて収納部３１に配置させるスライド台３３とで構成され、遊技機２間の各境界位置それぞれに設けられている。
【００１９】
施錠手段３２は、錠穴３２ｄ付きの錠本体３２ａに施錠片３２ｃを備えた回転軸３２ｂが設けられた構造で、これが収納部３１の上方位置に回転可能に内蔵されている。錠３２ｅで錠本体３２ａを回転させると施錠片３２ｃが分煙ボード４の上部と係合し、分煙ボード４を取り外し不能に固定できるようになっている。この施錠手段３２は遊技者による分煙ボードの無断引き抜きを防止するためのものである。
【００２０】
スライド台３３は断面凹状で、両側面に略Ｌ字状の溝３３ａが形成され、図４（ａ），（ｂ）に示すように、収納部３１の左右内面に設けた突起３１ａに前記溝３３ａを係合して収納部３１の底面を前後にスライド及び脱着できるようになっている。
【００２１】
分煙ボード４は、ボード本体４１と、ボード本体４１の後端に固着して受けボックス３の収納部３１に挿入する縦フレーム４２と、遊技機２の説明書Ｍ（その他遊技に関する書面や広告等の薄物のファイル）を挟むホルダー４３と、飲料容器Ｄを載せる容器受け４４とで構成されている。
【００２２】
ボード本体４１は、透明又は半透明のプラスチック製で、側端部に取っ手４１ａが形成されている。
【００２３】
縦フレーム４２は、上端部に施錠手段３２の施錠片３２ｃが係合する係合溝４２ａが形成され、下端部にはスライド台３３に嵌合できる形状の突起４２ｂが形成され、中間部には説明書Ｍを挟む際の逃げとなる切欠き部４２ｃが形成されている。
【００２４】
ホルダー４３は、弾性を有するプラスチック製の板状で、図２に示すように、下端部がボード本体４１の側面に固着され、上端部と側端部は開放され、上端部はボード本体４１との間に間隔（例えば１０ｍｍ程度）が形成され、中間部はボード本体４１の側面に接触するように湾曲した形状となっている。説明書Ｍが厚い場合は、その厚さよりやや狭い間隔が形成されるように湾曲させても良い。説明書Ｍは紐４３ａでボード本体４１の側面に連結されている。
【００２５】
説明書Ｍをホルダー４３に挟むと、ホルダー４３が説明書Ｍの厚さ分だけ外側へ弾性変形して説明書Ｍを復元力でボード本体４１側へ押圧し、遊技者が説明書Ｍや分煙ボード４に接触しても容易に脱落しないように保持される。ホルダー４３は、上端部と側端部いずれからでも差し込めるが、ボード本体４１との間に間隔が形成されている上端部から差し込むと、引っ掛かることなく容易に挟むことができる。
【００２６】
容器受け４４は、図３に示すように、飲料容器Ｄの外周を保持する環状の保持部４４ａと、飲料容器Ｄの底面を受ける受け部４４ｂとで構成されている。その保持部４４ａと受け部４４ｂの一端がボード本体４１の側面に枢支軸４４ｃで枢支され、水平の姿勢から下方への回動はストッパー４４ｄで規制されている。
【００２７】
本実施例では、図４（ｃ）に示すように、受けボックス３から引き出したスライド台３３に分煙ボード４の突起４２ｂを嵌合し、図５（ａ）に示すように、分煙ボード４を前方へ押して縦フレーム４２を収納部３１に挿入する。その後、図５（ｂ）に示すように、錠３２ｅで錠本体３２ａを回転させて施錠片３２ｃを縦フレーム４２の係合溝４２ａに係合し、分煙ボード４を取り外し不能に施錠する。
【００２８】
遊技の方法が詳しく分からない場合などは、ホルダー４３から説明書Ｍを手に取って見ながら遊技することができ、通り掛かりの店員や隣の遊技者に尋ねたりする必要がない。見終わると説明書Ｍをホルダー４３に戻すが、戻さなかった場合でも紐４３ａで分煙ボード４にぶら下がった状態となり、紛失や盗難の心配もない。
【００２９】
容器受け４４を使用する場合は、保持部４４ａと受け部４４ｂを垂直の姿勢から水平の姿勢に回動させて展開し、飲料容器Ｄを保持部４４ａに上方から差し込んで保持する。これによって、従来のようにテーブル１ａ上の飲料容器Ｄを誤って倒したり落としたりして中身をこぼす心配がなく、場所も遊技の邪魔にならない位置にあり、遊技に集中することができる。飲料容器Ｄとしては、缶や紙コップなど様々なものを保持できる。
【００３０】
遊技機２の整備や新台への入れ替え時は、錠３２ｅで錠本体３２ａを回転させて施錠を解除し、分煙ボード４を収納部３１から引き抜いて取り外す。これによって、分煙ボード４が邪魔にならないように且つ遊技機２を傷つけないようにして作業を行うことができる。
【００３１】
図６〜８に示すのは、実施例の受けボックス３の他の例である。この例では、収納部３１が分煙ボード４とほぼ同じ奥行きを有しており、未使用時に分煙ボード４を収納部３１に収納できる構造となっている。収納部３１の底面はスライド台３３に代えて、前後端に前壁３４ａと後壁３４ｂを備えたスライド可能なガイドレール３４が設けられ、そのガイドレール３４に分煙ボード４の突起４２ｂを嵌合してスライドさせる。収納時は、図７（ａ）に示すように、突起４２ｂが静止状態のガイドレール３４上を摺動しながら分煙ボード４がスライドし、突起４２ｂが後壁３４ｂに接触すると、図７（ｂ）に示すように、ガイドレール３４が収納部３１の底面を摺動しながら分煙ボード４がさらにスライドする。収納及び引き出しは、容器受け４４を分煙ボード４側に折り畳んだ状態で行う。その他、符号、構成、作用効果は実施例と同じである。
【００３２】
図９に示すのは、分煙ボード４の取り付け構造の他の例であって、受けボックス３を使用せずに、縦フレーム４２を遊技機２間の位置に直接取り付けて分煙ボード４を島１に固定している。その他、符号、構成、作用効果は実施例と同じである。
【産業上の利用可能性】
【００３３】
本考案の技術は、複数の遊技機やメダル貸し機が列設された島に利用される。
【符号の説明】
【００３４】
１      島
１ａ    テーブル
２      遊技機
３      受けボックス
３１    収納部
３１ａ  突起
３２    施錠手段
３２ａ  錠本体
３２ｂ  回転軸
３２ｃ  施錠片
３２ｄ  錠穴
３２ｅ  錠
３３    スライド台
３３ａ  溝
３４    ガイドレール
３４ａ  前壁
３４ｂ  後壁
４      分煙ボード
４１    ボード本体
４１ａ  取っ手
４２    縦フレーム
４２ａ  係合溝
４２ｂ  突起
４３    ホルダー
４３ａ  紐
４４    容器受け
４４ａ  保持部
４４ｂ  受け部
４４ｃ  枢支軸
４４ｄ  ストッパー
Ｄ      飲料容器
Ｍ      説明書
【図１】
0003193994.tif 000003
【図２】
0003193994.tif 000004
【図３】
0003193994.tif 000005
【図４】
0003193994.tif 000006
【図５】
0003193994.tif 000007
【図６】
0003193994.tif 000008
【図７】
0003193994.tif 000009
【図８】
0003193994.tif 000010
【図９】
0003193994.tif 000011